(57)【特許請求の範囲】
【請求項１】
作業員が一日で行う作業の内容、当該作業が行われる場所及び当該作業に掛かる時間を特定することが可能な作業スケジュールを作成するスケジュール作成手段と、
前記作業スケジュールによって特定される作業場所について、環境に応じた指数を特定する第１特定手段と、
前記作業スケジュールによって特定される作業内容について、その内容に応じた指数を特定する第２特定手段と、
前記第１特定手段によって特定された指数、前記第２特定手段によって特定された指数及び前記作業スケジュールによって特定される作業時間に基づいて、前記作業スケジュールの通りに一日の作業が行われた場合の熱中症のなり易さを表す評価値を算出する算出手段と、
を備えた編成支援装置。
【請求項２】
前記算出手段によって算出された評価値を基準値と比較する比較手段を更に備えた請求項１に記載の編成支援装置。
【請求項３】
前記比較手段による比較結果を報知器から報知させる報知制御手段を更に備えた請求項２に記載の編成支援装置。
【請求項４】
前記算出手段によって算出される評価値は、熱中症になり易いほど大きな値になり、
前記スケジュール作成手段は、前記算出手段によって算出された評価値が前記基準値より大きい場合に、作業スケジュールを作成し直す請求項２に記載の編成支援装置。
【請求項５】
前記算出手段によって算出される評価値は、熱中症になり易いほど小さな値になり、
前記スケジュール作成手段は、前記算出手段によって算出された評価値が前記基準値より小さい場合に、作業スケジュールを作成し直す請求項２に記載の編成支援装置。
【請求項６】
前記第１特定手段は、外気温度及び外気湿度から作業場所の温度及び湿度を推定し、推定した温度及び湿度に基づいて当該作業場所の環境に応じた指数を特定する請求項１から請求項３の何れか一項に記載の編成支援装置。
【請求項７】
環境に応じた指数は、作業場所の温度が高いほど大きな値になり、作業場所の湿度が高いほど大きな値になる請求項６に記載の編成支援装置。
【請求項８】
環境に応じた指数は、作業場所の温度が高いほど小さな値になり、作業場所の湿度が高いほど小さな値になる請求項６に記載の編成支援装置。
【発明の詳細な説明】
【技術分野】
【０００１】
この発明は、作業員の編成を支援するための装置に関する。
【背景技術】
【０００２】
特許文献１に記載されているように、エレベーターの作業員は、エレベーターの保守或いは工事を行うために、一日で様々な現場を訪問する。作業員の作業スケジュールは、予め設定される。
【先行技術文献】
【特許文献】
【０００３】
【特許文献１】日本特開２００４−６２６２１号公報
【発明の概要】
【発明が解決しようとする課題】
【０００４】
従来では、作業員の作業スケジュールは、例えば作業効率を考慮し、移動時間が最小になるように設定されていた。しかし、例えば夏場等に高温多湿な環境下で負荷の高い作業が続くと、作業員は、熱中症にならないように頻繁に休憩を取らなければならない。このため、作業効率が悪化し、作業スケジュール通りに作業が終わらないことがあった。【０００５】
この発明は、上述のような課題を解決するためになされた。この発明の目的は、例えば夏場でも無理のない作業スケジュールを組むことができる編成支援装置を提供することである。
【課題を解決するための手段】
【０００６】
この発明に係る編成支援装置は、作業員が一日で行う作業の内容、当該作業が行われる場所及び当該作業に掛かる時間を特定することが可能な作業スケジュールを作成するスケジュール作成手段と、作業スケジュールによって特定される作業場所について、環境に応じた指数を特定する第１特定手段と、作業スケジュールによって特定される作業内容について、その内容に応じた指数を特定する第２特定手段と、第１特定手段によって特定された指数、第２特定手段によって特定された指数及び作業スケジュールによって特定される作業時間に基づいて、作業スケジュールの通りに一日の作業が行われた場合の熱中症のなり易さを表す評価値を算出する算出手段と、を備える。
【発明の効果】
【０００７】
この発明に係る編成支援装置であれば、例えば夏場でも無理のない作業スケジュールを組むことができる。
【図面の簡単な説明】
【０００８】
【図１】この発明の実施の形態１における編成支援装置の例を示す図である。
【図２】この発明の実施の形態１における編成支援装置の動作例を示すフローチャートである。
【図３】環境指数の例を示す。
【図４】一般的なエレベーターを示す図である。
【図５】編成支援装置のハードウェア構成を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、この発明の実施の形態１における編成支援装置１の例を示す図である。エレベーターの作業員は、エレベーターの保守或いは工事を行うために、一日で様々な現場を訪問する。作業員の作業スケジュールは予め設定される。例えば、作業員が１０人いれば、１０人分の作業スケジュールが月単位或いは週単位で事前に設定される。編成支援装置１は、作業員の編成を支援するための装置である。
【００１１】
編成支援装置１は、例えば記憶部２、スケジュール作成部３、特定部４、特定部５、算出部６及び比較部７を備える。以下に、図２から図４も参照し、編成支援装置１の機能及び動作について詳細に説明する。図２は、この発明の実施の形態１における編成支援装置１の動作例を示すフローチャートである。
【００１２】
スケジュール作成部３は、作業員の作業スケジュールを作成する。例えば、記憶部２に、予定作業情報が記憶される。予定作業情報には、例えばこれから行う必要がある作業の内容、当該作業が行われる場所及び当該作業に掛かる時間等の情報が含まれる。作業スケジュールが週単位で作成される場合は、少なくとも１週間先までに行わなければならない作業について、予定作業情報が記憶される。作業スケジュールが月単位で作成される場合は、少なくとも１ヶ月先までに行わなければならない作業について、予定作業情報が記憶される。予定作業情報は、例えば作業員によって登録される。作業員は、エレベーターが備えられたビル毎に予定作業情報を登録する。
【００１３】
スケジュール作成部３は、記憶部２に記憶された予定作業情報に基づいて、例えば月単位或いは週単位で各作業員の作業スケジュールを作成する。スケジュール作成部３は、先ず、作業スケジュールを作成する必要がある期間の予定作業情報を記憶部２から読み込む（Ｓ１０１）。スケジュール作成部３は、例えば、読み込んだ個々の作業を作業員に割り当てることにより、当該期間の作業スケジュールを作成する（Ｓ１０２）。スケジュール作成部３は、各作業員について、一日毎の作業スケジュールを作成する。表１は、ある作業員のある一日の作業スケジュールを示す。スケジュール作成部３によって作成された作業スケジュールを見れば、作業員が一日で行う作業の内容、当該作業が行われる場所、当該作業の開始時刻及び当該作業に掛かる時間を特定することができる。
【００１４】
【表１】
0006536760.tif 000002
【００１５】
作業スケジュールに、例えば総作業時間等の項目を含めても良い。総作業時間は、個々の作業時間を足し合わせることによって簡単に求めることができる。また、ある訪問先から次の訪問先への移動時間は、３０分といった固定値を採用しても良い。訪問日は、作業員が所属する拠点の営業日に基づいて設定される。スケジュール作成部３は、例えば、作業者名簿に登録されている各作業者について、作業スケジュールを作成する。Ｓ１０２では、スケジュール作成部３は、作業者の移動時間が最小になるように作業スケジュールを作成しても良い。
【００１６】
特定部４は、作業場所の環境に応じた指数を特定する。以下においては、特定部４が特定する指数のことを環境指数ともいう。環境指数は、その場所の環境が熱中症になり易いか否かを表す指数である。例えば、特定部４は、作業スケジュールによって特定される各作業場所について、環境指数を特定する。
【００１７】
図３は、環境指数の例を示す。図３は、環境指数の一例として、ＷＢＧＴ（Ｗｅｔ  Ｂｕｌｂ  Ｇｌｏｂｅ  Ｔｅｍｐｅｒａｔｕｒｅ）を示す。なお、図３は、以下より引用した。
「日常生活における熱中症予防指針」Ｖｅｒ．３確定版、［ｏｎｌｉｎｅ］、日本生気象学会、［平成２９年１月２４日検索］、インターネット＜ＵＲＬ:ｈｔｔｐ://ｓｅｉｋｉｓｈｏｕ.ｊｐ/ｐｄｆ/ｎｅｗｓ/ｓｈｉｓｈｉｎ.ｐｄｆ＞
【００１８】
図３は、環境指数が作業場所の温度及び湿度に依存する例を示す。図３に示す例では、環境指数は、作業場所の温度が高いほど大きな値になる。環境指数は、作業場所の湿度が高いほど大きな値になる。環境指数として、ＷＢＧＴ以外の指数を採用しても良い。例えば、図３に示す例とは逆に、環境指数は、作業場所の温度が高いほど小さな値になっても良い。環境指数は、作業場所の湿度が高いほど小さな値になっても良い。
【００１９】
図３に示す例では、特定部４が環境指数を特定するために、作業場所の温度及び湿度の情報が必要になる。編成支援装置１は、例えば情報取得部８を更に備えても良い。情報取得部８は、例えばネットワーク等を介し、気象庁等の外部機関から外気温度と外気湿度の情報を取得する。例えば、作業スケジュールが週単位で作成される場合、情報取得部８は、その１週間分の外気温度及び外気湿度の情報を取得する。作業スケジュールが月単位で作成される場合、情報取得部８は、その１ヶ月分の外気温度及び外気湿度の情報を取得する。情報取得部８は、例えば、訪問先が含まれる地域の外気温度及び外気湿度の情報を気象庁等から取得する。表２に、情報取得部８が取得する情報の例を示す。
【００２０】
【表２】
0006536760.tif 000003
【００２１】
表２は、情報取得部８が１時間毎の外気温度及び外気湿度の情報を取得する例を示す。これは一例である。情報取得部８は、例えば、３時間毎或いは４時間毎の情報を取得しても良い。情報取得部８は、平年並みといった大凡の情報のみを受信し、過去の情報等を参照して具体的な数値を出力しても良い。
【００２２】
特定部４は、例えば情報取得部８によって取得された外気温度及び外気湿度から、各作業場所の温度及び湿度を推定する（Ｓ１０３）。特定部４は、推定した作業場所の温度及び湿度に基づいて、その作業場所の環境指数を特定する（Ｓ１０４）。
【００２３】
外気温度及び外気湿度と同じ温度及び湿度である作業場所に関しては、特定部４は、情報取得部８によって取得された外気温度及び外気湿度をその作業場所の温度及び湿度と推定する。しかし、全ての作業場所の温度及び湿度が外気温度及び外気湿度と同じとみなすことができるとは限らない。以下に、特定部４が作業場所の温度及び湿度を推定する方法の例について説明する。
【００２４】
図４は、一般的なエレベーターを示す図である。エレベーターの保守作業は、例えば、かご９の内部、かご９の上、昇降路１０のピット１０ａ、機械室１１及び乗場１２等で行われる。なお、かご９の上での作業は、昇降路１０での作業と同義である。乗場１２は、夏場に空調が効いている場合が多い。このため、夏場に関しては、乗場１２の温度は外気温度より低いことが多い。同様に、乗場１２の湿度は外気湿度より低いことが多い。また、昇降路１０の内部の温度は乗場１２の温度より高く、その湿度は乗場１２の湿度より高いことが多い。しかし、ビルの構造によっては昇降路１０に冷気が入り易く、昇降路１０の内部の温度が外気温度より低く、その湿度が外気湿度より低いことがある。
【００２５】
作業場所の温度及び湿度の推定精度を高めるため、例えば、記憶部２にビル環境情報が記憶される。ビル環境情報は、例えば、外気温度及び外気湿度から各作業場所の温度及び湿度を導くための関係式或いは対応表である。記憶部２には、例えば、ビル毎のビル環境情報が記憶される。特定部４は、ビル環境情報を用いて算出した温度及び湿度に基づいて、各作業場所の環境指数を特定しても良い。表３は、記憶部２に記憶されたビル環境情報の例を示す。
【００２６】
【表３】
0006536760.tif 000004
【００２７】
表３に登録する作業場所に関しては、例えば１階の乗場１２と２階の乗場１２を分けても良い。昇降路１０についても同様である。表３は、各ビルについて月毎の対応表がビル環境情報として記憶部２に記憶される例を示す。春用、夏用、秋用及び冬用といった季節毎の対応表が記憶部２に記憶されても良い。
【００２８】
特定部５は、作業内容に応じた指数を特定する（Ｓ１０５）。以下においては、特定部５が特定する指数のことを作業指数ともいう。作業指数は、その内容の作業を行うことが熱中症になり易いか否かを表す指数である。例えば、作業指数は、負荷が高い作業ほど大きな値になる。作業指数は、負荷が高い作業ほど小さな値になっても良い。作業指数は、作業員の経験に基づいて設定されても良い。例えば、特定部５は、作業スケジュールによって特定される各作業内容について、作業指数を特定する。
【００２９】
例えば、記憶部２に作業指数情報が記憶される。作業指数情報は、例えば、作業内容から作業指数を導くための対応表である。特定部５は、記憶部２に記憶された作業指数情報に基づいて、各作業内容の作業指数を特定しても良い。表４は、記憶部２に記憶された作業指数情報の例を示す。
【００３０】
【表４】
0006536760.tif 000005
【００３１】
算出部６は、スケジュール作成部３によって作成された個々の作業スケジュールについて、熱中症に関する評価値を算出する（Ｓ１０６）。評価値は、作業スケジュールの通りに作業者が一日の作業を行った場合の熱中症のなり易さを表す値である。算出部６によって算出される評価値は、熱中症になり易いほど大きな値になっても良い。評価値は、熱中症になり易いほど小さな値になっても良い。算出部６は、例えば、特定部４によって特定された環境指数、特定部５によって特定された作業指数及び作業スケジュールによって特定される作業時間に基づいて、評価値を算出する。
【００３２】
先ず、算出部６は、作業スケジュールによって特定される各作業について、環境負荷及び作業負荷を算出する。特定部４によって特定された環境指数は、例えば単位時間当たりの環境負荷の値に相当する。算出部６は、例えば、特定部４によって特定された環境指数に作業時間をかけることによって環境負荷を算出する。表１に示す８月１日の作業スケジュールの例であれば、算出部６は、Ａビルの機械室で行われる制御盤の点検作業について、環境負荷を算出する。算出部６は、Ａビルのかご内で行われる照明の交換作業について、環境負荷を算出する。算出部６は、Ａビルのかご内で行われる室内の点検作業について、環境負荷を算出する。算出部６は、Ｂビルの昇降路で行われるレールの点検作業について、環境負荷を算出する。算出部６は、Ｂビルの乗場で行われるドアの点検作業について、環境負荷を算出する。
【００３３】
同様に、特定部５によって特定された作業指数は、例えば単位時間当たりの作業負荷の値に相当する。算出部６は、特定部５によって特定された作業指数に作業時間をかけることによって作業負荷を算出する。表１に示す８月１日の作業スケジュールの例であれば、算出部６は、Ａビルの機械室で行われる制御盤の点検作業について、作業負荷を算出する。算出部６は、Ａビルのかご内で行われる照明の交換作業について、作業負荷を算出する。算出部６は、Ａビルのかご内で行われる室内の点検作業について、作業負荷を算出する。算出部６は、Ｂビルの昇降路で行われるレールの点検作業について、作業負荷を算出する。算出部６は、Ｂビルの乗場で行われるドアの点検作業について、作業負荷を算出する。
【００３４】
算出部６は、算出した環境負荷及び作業負荷に基づいて、評価値を算出する。例えば、算出部６は、次式によって評価値を求める。
（評価値）＝（環境係数α×環境負荷の和）＋（作業係数β×作業負荷の和）
環境係数α及び作業係数βは、例えば作業者の経験及び暑熱への順化等に基づいて予め設定される。表５は、ある作業員の８月１日の作業スケジュールに対して行われた算出結果の例を示す。
【００３５】
【表５】
0006536760.tif 000006
【００３６】
表５に示す算出結果に、例えば総作業時間等の項目を含めても良い。なお、評価値の算出方法は、上記算出例に限定されない。
【００３７】
１つの作業スケジュールについて評価値が算出されると、全ての作業スケジュールについて評価値が算出されたか否かが判定される（Ｓ１０７）。評価値が算出されていない作業スケジュールが存在すれば、上記と同様の手順により、その作業スケジュールに対して評価値が算出される。
【００３８】
全ての作業スケジュールについて評価値が算出されると、比較部７は、算出部６によって算出された評価値と基準値とを比較する（Ｓ１０８）。評価値と比較される基準値は予め設定される。図２は、熱中症になり易いほど評価値が大きな値になる例を示す。かかる場合、比較部７は、算出部６によって算出された評価値が基準値より小さいか否かを判定する。算出部６によって算出された全ての評価値が基準値より小さければ、編成結果が出力される（Ｓ１０９）。編成結果の出力先は、ディスプレイでもプリンターでも良い。
【００３９】
算出部６によって算出された評価値の中に基準値より大きいものがあれば、スケジュール作成部３は、作業スケジュールを作成し直す（Ｓ１１０）。スケジュール作成部３は、評価値が基準値より大きい作業スケジュールのみを作成し直しても良い。簡単な例を挙げれば、スケジュール作成部３は、作業と作業の間に休憩時間を入れることによって作業スケジュールを再作成する。かかる場合、作業スケジュールが作成し直されると、Ｓ１１１に示す処理は行われず、編成結果が出力される。
【００４０】
スケジュール作成部３は、Ｓ１１０において、評価値が基準値より大きい作業スケジュールと評価値が基準値より小さい作業スケジュールとの双方を作成し直しても良い。例えば、スケジュール作成部３は、評価値が基準値より大きいと判定された作業スケジュールに含まれる一部の作業と評価値が基準値より小さいと判定された作業スケジュールに含まれる一部の作業とを入れ替えても良い。かかる場合、作業スケジュールが作成し直されると、上記と同様の手順によって評価値が算出され（Ｓ１１１）、算出された評価値が基準値と比較される（Ｓ１０８）。即ち、スケジュール作成部３は、全ての評価値が基準値より小さくなるように作業スケジュールを再作成する。
【００４１】
一方、熱中症になり易いほど評価値が小さな値になる場合、比較部７は、算出部６によって算出された評価値が基準値より大きいか否かを判定する。算出部６によって算出された全ての評価値が基準値より大きければ、編成結果の出力が行われる。また、算出部６によって算出された評価値の中に基準値より小さいものがあれば、スケジュール作成部３は、作業スケジュールを作成し直す。スケジュール作成部３は、評価値が基準値より小さい作業スケジュールのみを作成し直しても良い。スケジュール作成部３は、評価値が基準値より小さい作業スケジュールと評価値が基準値より大きい作業スケジュールとの双方を作成し直しても良い。
【００４２】
本実施の形態に示す例であれば、スケジュール作成部３が作成した各作業スケジュールに対し、熱中症のなり易さを表す評価値が算出される。このため、例えば夏場でも無理のない作業スケジュールを組むことができる。本実施の形態では、算出部６によって算出された評価値が基準値と比較される例について説明した。算出部６によって算出された評価値をディプレイ或いはプリンター等に出力するだけでも、上記効果を奏することは可能である。かかる場合、作業スケジュールの再設定は、人の手によって行われる。
【００４３】
編成支援装置１は、報知制御部１３を更に備えても良い。報知制御部１３は、報知器１４を制御する。報知器１４は、編成支援装置１に備えられても良いし、他の装置に備えられても良い。例えば、報知制御部１３は、比較部７による比較結果を報知器１４から報知させる。例えば、熱中症になり易いほど評価値が大きな値になる場合、報知制御部１３は、算出部６によって算出された評価値が基準値より大きければ報知器１４から警報を出力させる。熱中症になり易いほど評価値が小さな値になる場合、報知制御部１３は、算出部６によって算出された評価値が基準値より小さければ報知器１４から警報を出力させる。
【００４４】
本実施の形態では、エレベーターの作業員の作業スケジュールについて評価値を算出する例について説明した。これは一例である。編成支援装置１は、エレベーター以外の装置或いは設備等を扱う作業員の作業スケジュールについて、評価値を算出しても良い。
【００４５】
符号２〜８、及び１３に示す各部は、編成支援装置１が有する機能を示す。図５は、編成支援装置１のハードウェア構成を示す図である。編成支援装置１は、ハードウェア資源として、例えばプロセッサ１５とメモリ１６とを含む処理回路を備える。記憶部２が有する機能はメモリ１６によって実現される。編成支援装置１は、メモリ１６に記憶されたプログラムをプロセッサ１５によって実行することにより、符号３〜８、及び１３に示す各部の機能を実現する。
【００４６】
プロセッサ１５は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ１６として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００４７】
編成支援装置１が有する各機能の一部又は全部をハードウェアによって実現しても良い。編成支援装置１の機能を実現するハードウェアとして、単一回路、複合回路、プログラム化したプロセッサ、並列プログラム化したプロセッサ、ＡＳＩＣ、ＦＰＧＡ、又はこれらの組み合わせを採用しても良い。
【産業上の利用可能性】
【００４８】
この発明に係る編成支援装置１は、作業員の編成を支援するための装置に適用できる。
【符号の説明】
【００４９】
１  編成支援装置
２  記憶部
３  スケジュール作成部
４  特定部
５  特定部
６  算出部
７  比較部
８  情報取得部
９  かご
１０  昇降路
１１  機械室
１２  乗場
１３  報知制御部
１４  報知器
１５  プロセッサ
１６  メモリ
【図１】
0006536760.tif 000007
【図２】
0006536760.tif 000008
【図３】
0006536760.tif 000009
【図４】
0006536760.tif 000010
【図５】
0006536760.tif 000011